(57)【特許請求の範囲】
【請求項１】
アナログ入力信号を増幅して第１アナログ出力信号を生成する入力増幅回路と、第１アナログ出力信号の位相を反転して第２アナログ出力信号を生成する位相反転回路と、を有して成るＢＴＬ形式の増幅装置であって、
前記位相反転回路は、所定の制御信号に応じて、その正転出力／反転出力が切り替えられるものであり、前記増幅装置の起動時には、正転出力から緩やかに反転出力となるように、逆に、前記増幅装置の停止時には、反転出力から緩やかに正転出力となるように、その出力形式が切り替えられるものであり、
前記増幅装置は、さらに、第１、第２アナログ出力信号を各々第１、第２デジタル出力信号に変換するアナログ／デジタル変換回路と、第１、第２デジタル出力信号を各々電力増幅して第１、第２駆動信号を生成する駆動回路と、第１、第２駆動信号を各々平滑化して第１、第２平滑信号を生成する平滑回路と、を有して成り、前記アナログ入力信号をＤ級増幅するものであり、
前記増幅装置は、さらに、前記アナログ／デジタル変換回路の出力端に接続された第１ミュート回路と、前記入力増幅回路の出力端に接続された第２ミュート回路と、を有して成り、
前記増幅装置は、さらに、前記増幅装置の駆動可否を制御するためのシャットダウン信号に応じて、前記位相反転回路の出力切替制御、並びに、第１、第２ミュート回路のミュート制御を行う切替回路を有して成り、
前記切替回路は、前記増幅装置の起動時には、第１ミュート回路のミュートオフ、前記位相反転回路の正転／反転切替、並びに、第２ミュート回路のミュートオフを順次行い、逆に、前記増幅装置の停止時には、第２ミュート回路のミュートオン、前記位相反転回路の反転／正転切替、並びに、第１ミュート回路のミュートオンを順次行うものであり、
前記切替回路は、第２ミュート回路のミュートオン／ミュートオフを緩やかに切り替えることを特徴とする増幅装置。
【請求項２】
前記位相反転回路は、第１アナログ出力信号の位相を反転することなく出力する正転出力部と、第１アナログ出力信号の位相を反転して出力する反転出力部と、前記所定の制御信号に応じて、前記正転出力部の駆動電流と前記反転出力部の駆動電流とを相補的に増減する駆動電流供給部と、を有して成ることを特徴とする請求項１に記載の増幅装置。
【請求項３】
前記アナログ／デジタル変換回路は、前記駆動回路から帰還入力される第１、第２駆動信号と、第１、第２アナログ出力信号との差分に基づいて、アナログ／デジタル変換動作を行うことを特徴とする請求項１または請求項２に記載の増幅装置。
【請求項４】
前記アナログ／デジタル変換回路は、
第１、第２駆動信号と第１、第２アナログ出力信号との差分積分を行って第１、第２積分結果信号を生成する積分器と、
所定周波数の三角波信号またはランプ波信号を生成する発振器と、
第１、第２積分結果信号と前記三角波信号または前記ランプ波信号とを比較して第１、第２比較信号を生成する比較器と、
を含むことを特徴とする請求項３に記載の増幅装置。
【請求項５】
前記アナログ／デジタル変換回路は、前記駆動回路に含まれる上側スイッチと下側スイッチのプッシュプル駆動時に両スイッチが同時オフとなる期間を持つように、第１、第２比較信号に基づいて第１、第２デジタル出力信号を生成するデッドタイム生成部を含むことを特徴とする請求項４に記載の増幅装置。
【請求項６】
請求項１〜請求項５のいずれかに記載の増幅装置と、前記増幅装置の出力信号によって駆動されるスピーカと、を有して成ることを特徴とする音響機器。
【発明の詳細な説明】
【技術分野】
【０００１】
本発明は、ＢＴＬ［Balanced Transformer Less］形式の増幅装置、及び、これを用いた音響機器に関するものであり、特に、その起動時や停止時に生じるノイズ（延いては、スピーカのポップ音）の除去技術に関するものである。
【背景技術】
【０００２】
近年、ＣＤ［Compact Disc］プレイヤやＤＶＤ［Digital Versatile Disc］プレイヤなどの音響機器においては、オーディオ信号の増幅手段として、ＢＴＬ形式の増幅装置が広く用いられている。
【０００３】
なお、オーディオ信号増幅回路のノイズ除去に関連する従来技術としては、本願出願人による特許文献１などを挙げることができる。
【特許文献１】国際公開第２００６／１３２２０２号パンフレット
【発明の開示】
【発明が解決しようとする課題】
【０００４】
確かに、ＢＴＬ形式の増幅装置を用いれば、入力されたオーディオ信号の電圧レベルを平衡増幅することができるので、音響機器の電源効率を高めることが可能である。
【０００５】
しかしながら、上記従来の増幅装置では、その起動時や停止時において、過渡的な直流オフセット電圧に起因するノイズを不要に平衡増幅してしまい、スピーカに耳障りなポップ音を生じるという課題があった。
【０００６】
なお、特許文献１の従来技術は、オーディオ信号増幅回路の起動時や停止時に生じるノイズを効果的に低減し得るものではあったが、あくまでシングル形式への適用を前提としたものであり、ＢＴＬ形式に特有の上記課題については、何ら考慮されていなかった。
【０００７】
本発明は、上記の問題点に鑑み、ＢＴＬ形式の採用により効率を高めた上で、さらに、その起動時や停止時に生じるノイズ（延いては、スピーカのポップ音）を効果的に除去することが可能な増幅装置、及び、これを用いた音響機器を提供することを目的とする。
【課題を解決するための手段】
【０００８】
上記の目的を達成するために、本発明に係る増幅装置は、アナログ入力信号を増幅して第１アナログ出力信号を生成する入力増幅回路と、第１アナログ出力信号の位相を反転して第２アナログ出力信号を生成する位相反転回路と、を有して成るＢＴＬ形式の増幅装置であって、前記位相反転回路は、所定の制御信号に応じて、その正転出力／反転出力が切り替えられるものであり、前記増幅装置の起動時には、正転出力から緩やかに反転出力となるように、逆に、前記増幅装置の停止時には、反転出力から緩やかに正転出力となるように、その出力形式が切り替えられる構成（第１の構成）とされている。
【０００９】
なお、上記第１の構成から成る増幅装置は、第１、第２アナログ出力信号を各々第１、第２デジタル出力信号に変換するアナログ／デジタル変換回路と、第１、第２デジタル出力信号を各々電力増幅して第１、第２駆動信号を生成する駆動回路と、第１、第２駆動信号を各々平滑化して第１、第２平滑信号を生成する平滑回路と、を有して成り、前記アナログ入力信号をＤ級増幅する構成（第２の構成）にするとよい。
【００１０】
また、上記第２の構成から成る増幅装置は、前記アナログ／デジタル変換回路の出力端に接続された第１ミュート回路と、前記入力増幅回路の出力端に接続された第２ミュート回路と、を有して成る構成（第３の構成）にするとよい。
【００１１】
また、上記第３の構成から成る増幅装置は、前記増幅装置の駆動可否を制御するためのシャットダウン信号に応じて、前記位相反転回路の出力切替制御、及び、第１、第２ミュート回路のミュート制御を行う切替回路を有して成る構成（第４の構成）にするとよい。
【００１２】
また、上記第４の構成から成る増幅装置において、前記切替回路は、前記増幅装置の起動時には、第１ミュート回路のミュートオフ、前記位相反転回路の正転／反転切替、並びに、第２ミュート回路のミュートオフを順次行い、逆に、前記増幅装置の停止時には、第２ミュート回路のミュートオン、前記位相反転回路の反転／正転切替、並びに、第１ミュート回路のミュートオンを順次行う構成（第５の構成）にするとよい。
【００１３】
また、上記第１〜第５いずれかの構成から成る増幅装置において、前記位相反転回路は第１アナログ出力信号の位相を反転することなく出力する正転出力部と、第１アナログ出力信号の位相を反転して出力する反転出力部と、前記所定の制御信号に応じて、前記正転出力部の駆動電流と前記反転出力部の駆動電流とを相補的に増減する駆動電流供給部と、を有して成る構成（第６の構成）にするとよい。
【００１４】
また、本発明に係る音響機器は、上記第１〜第６いずれかの構成から成る増幅装置と、前記増幅装置の出力信号によって駆動されるスピーカとを有して成る構成（第６の構成）とされている。
【発明の効果】
【００１５】
本発明に係る増幅装置であれば、ＢＴＬ形式の採用により効率を高めた上で、さらに、その起動時や停止時に生じるノイズ（延いては、スピーカのポップ音）を効果的に除去することが可能となる。
【発明を実施するための最良の形態】
【００１６】
以下では、音響機器に搭載されるＢＴＬ形式のＤ級パワーアンプに本発明を適用した場合を例に挙げて、詳細な説明を行う。
【００１７】
図１は、本発明に係る音響機器の一実施形態を示すブロック図である。
【００１８】
図１に示すように、本実施形態の音響機器は、入力増幅回路１０と、位相反転回路２０と、アナログ／デジタル変換回路３０（以下では、Ａ／Ｄ［Analog/Digital］変換回路３０と呼ぶ）と、駆動回路４０と、平滑回路５０と、第１ミュート回路６０と、第２ミュート回路７０と、電源回路８０と、時定数切替回路９０と、スピーカ１００と、を有して成る。なお、スピーカ１００を除く回路群により、ＢＴＬ［Balanced Transformer Less］形式のＤ級パワーアンプが形成されている。
【００１９】
入力増幅回路１０は、アナログ入力信号ＡＩＮを反転増幅してアナログ出力信号ＡＯａを生成する反転増幅回路であり、抵抗１１及び１２と、オペアンプ１３とを有して成る。オペアンプ１３の非反転入力端（＋）は、バイアス電圧ＢＩＡＳの印加端に接続されている。オペアンプ１３の反転入力端（−）は、抵抗１１を介して、アナログ入力信号ＡＩＮの印加端に接続される一方、抵抗１２を介して自身の出力端にも接続されている。
【００２０】
位相反転回路２０は、アナログ出力信号ＡＯａを位相反転させて、これとは逆相のアナログ出力信号ＡＯｂを生成する手段である。
【００２１】
ただし、位相反転回路２０の出力形式は、反転出力に固定されているものではなく、時定数切替回路９０で生成される制御信号Ｔ３に応じて、その正転出力／反転出力が切り替えられるものであり、Ｄ級パワーアンプの起動時には、正転出力から緩やかに反転出力となるように、逆に、Ｄ級パワーアンプの停止時には、反転出力から緩やかに正転出力となるように、その出力形式が切り替えられる構成とされている。
【００２２】
このような構成であれば、ＢＴＬ形式の採用により、Ｄ級パワーアンプの効率を高めた上で、さらに、Ｄ級パワーアンプの起動時や停止時に生じるノイズ（延いては、スピーカ１００のポップ音）を同相キャンセルすることにより、これを効果的に除去することが可能となる。
【００２３】
なお、位相反転回路２０の内部構成、並びに、正転出力／反転出力の切替制御については、後ほど詳細な説明を行う。
【００２４】
Ａ／Ｄ変換回路３０は、アナログ出力信号ＡＯａ及びＡＯｂを各々デジタル出力信号ＤＯａ及びＤＯｂに変換する手段であり、積分器３１ａ及び３１ｂと、発振器３２と、比較器３３ａ及び３３ｂと、デッドタイム生成部３４ａ及び３４ｂと、を有して成る。
【００２５】
積分器３１ａは、アナログ出力信号ＡＯａと第１経路を介して帰還入力される駆動信号ＤＲＶａとの差分積分を行い、第１積分結果信号を生成する手段である。また、積分器３１ｂは、アナログ出力信号ＡＯｂと第２経路を介して帰還入力される駆動信号ＤＲＶｂとの差分積分を行い、第２積分結果信号を生成する手段である。
【００２６】
発振器３２は、所定周波数の三角波信号ないしはランプ波信号を生成する手段である。
【００２７】
比較器３３ａは、第１積分結果信号と三角波信号とを比較して、第１比較信号を生成する手段である。比較器３３ｂは、第２積分結果信号と三角波信号とを比較して、第２比較信号を生成する手段である。なお、第１、第２比較信号は、いずれも、パルス周波数が固定で、パルス幅が可変のＰＷＭ［Pulse Width Modulation］信号となる。
【００２８】
デッドタイム生成部３４ａは、第１比較信号に基づいて駆動回路４０の上側スイッチ４２ａ及び下側スイッチ４３ａをプッシュプル駆動するに際し、両スイッチが同時オフとなる期間（デッドタイム）を持つように、デジタル出力信号ＤＯａを生成する手段である。デッドタイム生成部３４ｂは、第２比較信号に基づいて駆動回路４０の上側スイッチ４１ｂ及び下側スイッチ４２ｂをプッシュプル駆動するに際し、両スイッチが同時オフとなる期間（デッドタイム）を持つように、デジタル出力信号ＤＯｂを生成する手段である。このように、デッドタイム生成部３４ａ及び３４ｂを用いて、上記のデッドタイムを設けることにより、駆動回路４０での貫通電流を防止することが可能となる。
【００２９】
駆動回路４０は、デジタル出力信号ＤＯａ及びＤＯｂを電力増幅して、駆動信号ＤＲＶａ及びＤＲＶｂを生成する手段であり、ドライバ４１ａ及び４１ｂと、上側スイッチ（Ｐチャネル型電界効果トランジスタ）４２ａ及び４２ｂと、下側スイッチ（Ｎチャネル型電界効果トランジスタ）４３ａ及び４３ｂと、を有して成る。上記の駆動信号ＤＲＶａ及びＤＲＶｂのデューティ（変調度）と電源電圧Ｖｃｃに応じて、Ｄ級パワーアンプの出力電力が決定される。
【００３０】
平滑回路５０は、駆動信号ＤＲＶａ及びＤＲＶｂを各々平滑化して平滑信号ＢＴＬａ及びＢＴＬｂを生成するローパスフィルタであり、コイル５１ａ及び５１ｂと、コンデンサ５２ａ及び５２ｂと、を有して成る。
【００３１】
第１ミュート回路６０は、Ａ／Ｄ変換回路３０の出力端に接続され、時定数切替回路９０で生成される制御信号Ｔ２に応じて、デジタル出力信号ＤＯａ及びＤＯｂをミュートする手段であり、デジタル出力信号ＤＯａをミュートするミュート部６１ａと、デジタル出力信号ＤＯｂをミュートするミュート部６１ｂと、を有して成る。なお、第１ミュート回路６０は、主として、音響機器の起動時や停止時において、デジタル出力信号ＤＯａ及びＤＯｂのミュート制御を行うものである。
【００３２】
第２ミュート回路７０は、入力増幅回路１０の出力端に接続され、時定数切替回路９０で生成される制御信号Ｔ４に応じてアナログ出力信号ＡＯａをミュートする手段である。なお、第２ミュート回路７０は、音響機器の起動時や停止時だけでなく、ユーザのミュート操作によっても、アナログ出力信号ＡＯａのミュート制御を行うものである。
【００３３】
電源回路８０は、時定数切替回路９０で生成される制御信号Ｔ１に応じて、音響機器の各部に対する駆動電流の供給制御を行う手段である。
【００３４】
時定数切替回路９０は、音響機器（延いては、Ｄ級パワーアンプ）の駆動可否を制御するためのシャットダウン信号ＳＤに応じて、電源回路８０の電流供給制御、第１ミュート回路６０のミュート制御、位相反転回路２０の出力切替制御、及び、第２ミュート回路７０のミュート制御を行うべく、先述の制御信号Ｔ１〜Ｔ４を生成する手段である。
【００３５】
なお、位相反転回路２０の出力切替制御、及び、第２ミュート回路７０のミュート制御については、後述するように、所定の時定数を持って緩やかに実施されるが、この時定数は、時定数切替回路９０に外部接続されるキャパシタ９１の容量値を適宜選択することにより、任意に調整することが可能である。
【００３６】
スピーカ１００は、平滑信号ＢＴＬａ及びＢＴＬｂの入力を受けてＢＬＴ形式で駆動され、音声を出力する手段である。このように、スピーカ１００の駆動手段として、ＢＴＬ形式のＤ級パワーアンプを用いる構成であれば、入力されたオーディオ信号の電圧レベルを平衡増幅することができるので、音響機器の電源効率を高めることが可能となる。
【００３７】
次に、上記構成から成るＤ級パワーアンプの起動時や停止時に生じるノイズ（延いてはスピーカ１００のポップ音）の除去動作について、図２を参照しながら詳細に説明する。
【００３８】
図２は、Ｄ級パワーアンプの起動／停止シーケンスを示すタイミングチャートであり、上から順に、電源電圧Ｖｃｃ、シャットダウン信号ＳＤ、制御信号Ｔ１〜Ｔ４の各電圧波形を示している。
【００３９】
図２に示すように、音響機器に電源電圧Ｖｃｃが投入された後、シャットダウン信号ＳＤがハイレベルに立ち上げられて、音響機器のシャットダウン状態が解除されると、時定数切替回路９０では、まず、制御信号Ｔ１がローレベルからハイレベルに立ち上げられ、これを受けた電源回路８０によって、音響機器の各部に対する駆動電流の供給が開始される。これにより、音響機器に搭載されたＤ級パワーアンプが動作可能状態となる。
【００４０】
次に、時定数切替回路９０では、制御信号Ｔ２がローレベルからハイレベルに立ち上げられ、これを受けた第１ミュート回路６０によって、デジタル出力信号ＤＯａ及びＤＯｂのミュートが解除される。
【００４１】
次に、時定数切替回路９０では、制御信号Ｔ３がローレベルから徐々にハイレベルに立ち上げられ、これを受けた位相反転回路２０の出力形式が正転出力から徐々に反転出力へと切り替えられる。このように、Ｄ級パワーアンプの起動時には、位相反転回路２０の出力形式を正転出力としておき、その後、徐々に反転出力に切り替えていく構成であれば、Ｄ級パワーアンプの起動時において、過渡的な直流オフセット電圧に起因するノイズが生じた場合でも、これを同相キャンセルすることで、効果的に除去することが可能となる。
【００４２】
そして、位相反転回路２０の出力形式が正転出力から反転出力に切り替えられると、その後、時定数切替回路９０では、制御信号Ｔ４がローレベルから徐々にハイレベルに立ち上げられ、これを受けた第２ミュート回路７０によって、アナログ出力信号ＡＯａのミュートが徐々に解除される。これにより、アナログ入力信号ＡＩの待ち受け状態となる。
【００４３】
一方、シャットダウン信号ＳＤがローレベルに立ち下げられて、音響機器のシャットダウンが指示されると、時定数切替回路９０では、まず、制御信号Ｔ４がハイレベルから徐々にローレベルに立ち下げられ、これを受けた第２ミュート回路７０によって、アナログ出力信号ＡＯａが徐々にミュートされる。
【００４４】
次に、時定数切替回路９０では、制御信号Ｔ３がハイレベルから徐々にローレベルに立ち下げられ、これを受けた位相反転回路２０の出力形式が反転出力から徐々に正転出力へと切り替えられる。このように、Ｄ級パワーアンプの停止時には、位相反転回路２０の出力形式を反転出力から徐々に正転出力に切り替えていく構成であれば、Ｄ級パワーアンプの停止時において、過渡的な直流オフセット電圧に起因するノイズが生じた場合でも、これを同相キャンセルすることで、効果的に除去することが可能となる。
【００４５】
次に、時定数切替回路９０では、制御信号Ｔ２がハイレベルからローレベルに立ち下げられ、これを受けた第１ミュート回路６０によって、デジタル出力信号ＤＯａ及びＤＯｂがミュートされる。
【００４６】
最後に、時定数切替回路９０では、制御信号Ｔ１がハイレベルからローレベルに立ち下げられ、これを受けた電源回路８０によって、音響機器の各部に対する駆動電流の供給が遮断される。
【００４７】
上記のシーケンスを採用することにより、Ｄ級パワーアンプの起動／停止動作に支障を来すことなく、ノイズの同相キャンセルを実現することが可能となる。
【００４８】
次に、出力形式を切替可能な位相反転回路２０の内部構成について詳細な説明を行う。
【００４９】
図３は、位相反転回路２０の一構成例を示す回路図である。
【００５０】
図３に示すように、位相反転回路２０は、オペアンプ２１及び２２と、抵抗２３及び２４と、定電流源２５と、セレクタ２６と、を有して成る。
【００５１】
オペアンプ２１の非反転入力端（＋）は、入力増幅回路１０の出力端（アナログ出力信号ＡＯａの印加端）に接続されている。オペアンプ２１の反転入力端（−）は、オペアンプ２１の出力端に接続されている。オペアンプ２２の非反転入力端（＋）は、バイアス電圧ＢＩＡＳの印加端に接続されている。オペアンプ２２の反転入力端（−）は、抵抗２３を介して、入力増幅回路１０の出力端に接続される一方、抵抗２４を介して、オペアンプ２２の出力端にも接続されている。オペアンプ２１の出力端とオペアンプ２２の出力端とは、互いに接続されており、その接続ノードは、アナログ出力信号ＡＯｂの出力端として引き出されている。
【００５２】
定電流源２５の一端は、電源端に接続されている。定電流源２５の他端（定電流Ｉの出力端）は、セレクタ２６の共通端に接続されている。セレクタ２６の第１選択端（第１駆動電流Ｉ１の出力端）は、オペアンプ２１の駆動電流入力端に接続されている。セレクタ２６の第２選択端（第２駆動電流Ｉ２の出力端）は、オペアンプ２２の駆動電流入力端に接続されている。セレクタ２６の制御端は、制御信号Ｔ３の印加端に接続されている。
【００５３】
上記構成から成る位相反転回路２０において、オペアンプ２１は、アナログ出力信号ＡＯａの位相を反転することなく出力する正転出力部として機能し、オペアンプ２２、並びに、抵抗２３及び２４は、アナログ出力信号ＡＯａの位相を反転して出力する反転出力部として機能する。
【００５４】
また、定電流源２５とセレクタ２６は、制御信号Ｔ３に応じて、反転出力部の駆動電流Ｉ１と正転出力部の駆動電流Ｉ２とを相補的に増減する駆動電流供給部として機能する。
【００５５】
図４は、駆動電流Ｉ１、Ｉ２の相関関係を示す図である。
【００５６】
図４を参照しながら、より具体的に述べると、セレクタ２６は、制御信号Ｔ３がローレベルであるときには、第１駆動電流Ｉ１を定電流Ｉとし、第２駆動電流Ｉ２をゼロ値とするように、定電流源２５で生成された定電流Ｉの分配を行う。このとき、位相反転回路２０は、正転出力部のみが駆動されている状態、すなわち、その出力形式が正転出力とされている状態となる。
【００５７】
上記の状態から、制御信号Ｔ３が徐々にハイレベルへと遷移されるに伴い、セレクタ２６は、Ｉ１＋Ｉ２＝Ｉという関係を維持しつつ、第１駆動電流Ｉ１及び第２駆動電流Ｉ２の増減を行う。すなわち、位相反転回路２０では、正転出力部の駆動が徐々に弱められ、反転出力部の駆動が徐々に強められる形となる。その結果、位相反転回路２０の出力形式は、正転出力から徐々に反転出力に切り替えられる。
【００５８】
その後、制御信号Ｔ３がハイレベルに至ると、セレクタ２６は、第１駆動電流Ｉ１をゼロ値とし、第２駆動電流Ｉ２を定電流Ｉとするように、定電流源２５で生成された定電流Ｉの分配を行う。従って、位相反転回路２０は、反転出力部のみが駆動されている状態、すなわち、その出力形式が反転出力とされている状態となる。
【００５９】
なお、制御信号Ｔ３がハイレベルからローレベルへと遷移される場合には、セレクタ２６において、上記と逆の制御が行われることになる。
【００６０】
このように、上記構成から成る位相反転回路２０であれば、極めて簡易な構成により、その正転出力／反転出力を緩やかに切り替えることが可能となる。
【００６１】
なお、上記実施形態では、Ｄ級パワーアンプを備えた音響機器に本発明を適用した構成を例示して説明を行ったが、本発明の適用対象はこれに限定されるものではなく、本発明は、ＢＴＬ形式の増幅装置全般に広く適用することが可能である。
【００６２】
また、本発明の構成は、上記実施形態のほか、発明の主旨を逸脱しない範囲で種々の変更を加えることが可能である。
【００６３】
例えば、上記実施形態では、Ａ／Ｄ変換回路３０として、ＰＷＭ変調回路を採用した構成を例に挙げて説明を行ったが、本発明の構成はこれに限定されるものではなく、ΔΣ変調器を用いたＰＤＭ［Pulse Density Modulation］変調回路など、その他の形式のＡ／Ｄ変換回路を採用しても構わない。
【００６４】
また、図２で示した各信号の論理は、あくまで例示であって、同様の動作を実現し得る限り、その論理は逆であっても構わない。
【産業上の利用可能性】
【００６５】
本発明は、ＴＶ機器、デスクトップＰＣ、ＡＶレシーバ、カーオーディオなどの音響機器全般で使用されるＢＴＬ形式の増幅装置において、その起動時や停止時に生じるノイズを除去するために利用可能な技術である。
【図面の簡単な説明】
【００６６】
【図１】は、本発明に係る音響機器の一実施形態を示すブロック図である。
【図２】は、増幅装置の起動／停止シーケンスを示すタイミングチャートである。
【図３】は、位相反転回路２０の一構成例を示す回路図である。
【図４】は、駆動電流Ｉ１、Ｉ２の相関関係を示す図である。
【符号の説明】
【００６７】
１０    入力増幅回路（反転増幅回路）
１１、１２    抵抗
１３    オペアンプ
２０    位相反転回路
２１、２２    オペアンプ
２３、２４    抵抗
２５    定電流源
２６    セレクタ
３０    アナログ／デジタル変換回路（ＰＷＭ変調回路）
３１ａ、３１ｂ    積分器
３２    発振器
３３ａ、３３ｂ    比較器
３４ａ、３４ｂ    デッドタイム生成部
４０    駆動回路
４１ａ、４１ｂ    ドライバ
４２ａ、４２ｂ    上側スイッチ（Ｐチャネル型電界効果トランジスタ）
４３ａ、４３ｂ    下側スイッチ（Ｎチャネル型電界効果トランジスタ）
５０    平滑回路
５１ａ、５１ｂ    コイル
５２ａ、５２ｂ    コンデンサ
６０    第１ミュート回路
６１ａ、６１ｂ    ミュート部
７０    第２ミュート回路
８０    電源回路
９０    時定数切替回路
９１    キャパシタ
１００    スピーカ
【図１】
0005022840.tif 000002
【図２】
0005022840.tif 000003
【図３】
0005022840.tif 000004
【図４】
0005022840.tif 000005